(57)【要約】【課題】  この発明は、映像再生装置において、所望の映像を早く見つける技術を提供し、ユーザの利便性を向上させることを目的としている。【解決手段】  記録媒体に記録された第１の映像データ、第１の映像データに対して設定されたデータ単位分スキップした第２の映像データ、第２の映像データに対して設定されたデータ単位分スキップした第３の映像データを受信し、第１の映像データに係る映像表示信号を第１の画面として出力し、第２の映像データに係る映像表示信号を第２の画面として第１の画面と同時に出力する映像出力手段（６）を備え、映像スキップ信号に応じて第２の映像データに係る映像表示信号を第１の画面として、第３の映像データに係る映像表示信号を第２の画面として切り替えて第１の画面と同時に出力する切り替え手段（６）を備える。【選択図】      図１
2008300999.tif 000002
【特許請求の範囲】
【請求項１】
記録媒体に記録された映像データを再生して出力する映像再生装置において、
記録媒体に記録された第１の映像データを出力させる第１の映像データ出力手段と、
前記第１の映像データに対して予め設定されたデータ単位分スキップした、記録媒体に記録された第２の映像データ、および前記第２の映像データに対して前記設定されたデータ単位分スキップした、記録媒体に記録された第３の映像データを出力させるスキップデータ出力手段と、
前記出力された第１の映像データを受信し、デコード処理を行って第１の映像データに係る映像表示信号、前記第２の映像データに係る映像表示信号、前記第３の映像データに係る映像表示信号を出力するデコード手段と、
前記出力された前記第２の映像データに係る映像表示信号、前記第３の映像データに係る映像表示信号を保持する映像表示信号保持手段と、
映像スキップ信号を受信するスキップ信号受信手段と、
前記出力された第１の映像データに係る映像表示信号を第１の画面として出力し、前記保持された第２の映像データに係る映像表示信号を第２の画面として前記第１の画面と同時に出力する映像出力手段を備え、
前記映像スキップ信号の受信に応じて前記出力された第２の映像データに係る映像表示信号を第１の画面として、前記保持された第３の映像データに係る映像表示信号を第２の画面として切り替えて第１の画面と同時に出力する切り替え手段を備えることを特徴とする映像再生装置。
【請求項２】
記録媒体に記録された映像データを再生して出力する映像再生装置において、
記録媒体に記録された第１の映像データを出力させる第１の映像データ出力手段と、
前記第１の映像データに対して予め設定されたデータ単位分スキップした、記録媒体に記録された第２の映像データ、前記第２の映像データに対して前記設定されたデータ単位分スキップした、記録媒体に記録された第３の映像データ、および前記第３の映像データに対して前記設定されたデータ単位分スキップした、記録媒体に記録された第４の映像データを出力させるスキップデータ出力手段と、
前記出力された第１の映像データを受信し、デコード処理を行って第１の映像データに係る映像表示信号、前記第２の映像データに係る映像表示信号、前記第３の映像データに係る映像表示信号を出力するデコード手段と、
前記出力された前記第２の映像データに係る映像表示信号、前記第３の映像データに係る映像表示信号、前記第４の映像データに係る映像表示信号を保持する映像表示信号保持手段と、
映像スキップ信号を受信するスキップ信号受信手段と、
前記出力された第１の映像データに係る映像表示信号を第１の画面として出力し、前記保持された第２の映像データに係る映像表示信号を第２の画面として、前記保持された第３の映像データに係る映像表示信号を第３の画面として、前記第１の画面と同時に出力する映像出力手段を備え、
前記映像スキップ信号の受信に応じて前記出力された第２の映像データに係る映像表示信号を第１の画面として、前記保持された第３の映像データに係る映像表示信号を第２の画面として、前記保持された第４の映像データに係る映像表示信号を第３の画面として切り替えて第１の画面と同時に出力する切り替え手段を備えることを特徴とする映像再生装置。
【請求項３】
前記第１の画面はスキップ信号に応じた映像を表示し、前記第２の画面はスキップ信号に応じた映像の次にスキップする映像を表示することを特徴とする請求項１または２に記載の映像再生装置。
【請求項４】
前記デコード手段は複数のデコーダで構成されることを特徴とする請求項１乃至３に記載の映像再生装置。
【請求項５】
前記第１の画面は動画像、前記第２の画面は静止画像であることを特徴とする請求項１乃至４に記載の映像再生装置。
【請求項６】
記録媒体に記録された映像データを再生して出力する映像再生方法において、
記録媒体に記録された第１の映像データを出力させるステップと、
前記第１の映像データに対して予め設定されたデータ単位分スキップした、記録媒体に記録された第２の映像データ、および前記第２の映像データに対して前記設定されたデータ単位分スキップした、記録媒体に記録された第３の映像データを出力させるステップと、
前記出力された第１の映像データを受信し、デコード処理を行って第１の映像データに係る映像表示信号、前記第２の映像データに係る映像表示信号、前記第３の映像データに係る映像表示信号を出力するステップと、
前記出力された前記第２の映像データに係る映像表示信号、前記第３の映像データに係る映像表示信号を保持するステップと、
映像スキップ信号を受信するステップと、
前記出力された第１の映像データに係る映像表示信号を第１の画面として出力し、前記保持された第２の映像データに係る映像表示信号を第２の画面として前記第１の画面と同時に出力するステップと、
前記映像スキップ信号の受信に応じて前記出力された第２の映像データに係る映像表示信号を第１の画面として、前記保持された第３の映像データに係る映像表示信号を第２の画面として切り替えて第１の画面と同時に出力するステップを備えることを特徴とする映像再生方法。
【発明の詳細な説明】
【技術分野】
【０００１】
この発明は、記憶媒体に記憶された映像信号を再生する映像再生装置に関する。またこの発明は、記憶媒体に記憶された映像信号を再生する際に、所定の単位でスキップ可能な映像再生装置に関する。
【背景技術】
【０００２】
現在、ＨＤＤ（ハードディスクドライブ）やＤＶＤ（デジタルビデオディスク）等のランダムアクセスが可能な記録媒体に、映像を記録する映像再生装置が製品化されている。このような映像再生装置は、映像や音楽（以下両者を総称して映像）を手軽に記録（録画）することができる。
【０００３】
このような映像再生装置は、録画された番組の再生において、録画番組の任意の位置から開始することが可能である。そして、例えば３０秒間から１分間程度のコマーシャル映像をスキップし、再生を行うという処理が可能である。
【０００４】
特許文献１には、映像再生時におけるスキップを速やかに、かつ簡単に行う技術が開示されている。すなわち、ハードディスク装置等のランダムアクセスが可能な記録媒体に記録された映像データの再生を開始した後、リモートコントローラのスキップボタンを押下してスキップ処理を指示すると、スキップボタンを押下した回数またはスキップボタンを押し続けた時間に応じてスキップ時間が設定され、そのスキップ時間だけ映像データの再生がスキップされる技術が開示されている。
【０００５】
そして、例えば、通常再生時の映像を３秒毎に抽出した中間映像が表示される。このスキップ時間が所定の基準値（例えば６０秒）を超えたとき、スキップ開始時からスキップ時間だけ先の通常再生開始位置から例えば３０秒前まで瞬時にスキップし、その後、中間映像を１０回表示して通常再生に移行する技術が開示されている。映像スキップ動作を行うユーザからは、依然として、所望の映像を少しでも早く見つけたいという要望がある。
【０００６】
しかしながら、この特許文献１では映像スキップに関して、スキップ区間の映像を表示する技術は開示されているものの、スキップ終了以降の映像再生については触れられていないという問題があった。したがって、スキップ終了以降についても所望の映像を少しでも早く見つける技術が望まれていた。
【特許文献１】特開２００６−１３４３８９号
【発明の開示】
【発明が解決しようとする課題】
【０００７】
そこで、この発明は、上記事情を考慮してなされたもので、スキップ終了以降の映像を予測し、表示または再生することを目的としている。またこの発明は、スキップ終了以降の映像を予測し、表示または再生することによって、所望の映像を少しでも早く見つける技術を提供し、ユーザの利便性を向上させることを目的としている。
【課題を解決するための手段】
【０００８】
この発明に係る映像再生装置は、記録媒体に記録された第１の映像データを出力させる第１の映像データ出力手段と、前記第１の映像データに対して予め設定されたデータ単位分スキップした、記録媒体に記録された第２の映像データ、および前記第２の映像データに対して前記設定されたデータ単位分スキップした、記録媒体に記録された第３の映像データを出力させるスキップデータ出力手段と、前記出力された第１の映像データを受信し、デコード処理を行って第１の映像データに係る映像表示信号、前記第２の映像データに係る映像表示信号、前記第３の映像データに係る映像表示信号を出力するデコード手段と、前記出力された前記第２の映像データに係る映像表示信号、前記第３の映像データに係る映像表示信号を保持する映像表示信号保持手段と、映像スキップ信号を受信するスキップ信号受信手段と、前記出力された第１の映像データに係る映像表示信号を第１の画面として出力し、前記保持された第２の映像データに係る映像表示信号を第２の画面として前記第１の画面と同時に出力する映像出力手段を備え、前記映像スキップ信号の受信に応じて前記出力された第２の映像データに係る映像表示信号を第１の画面として、前記保持された第３の映像データに係る映像表示信号を第２の画面として切り替えて第１の画面と同時に出力する切り替え手段を備えるように構成している。
【０００９】
この発明に係る映像再生方法は、記録媒体に記録された第１の映像データを出力させるステップと、前記第１の映像データに対して予め設定されたデータ単位分スキップした、記録媒体に記録された第２の映像データ、および前記第２の映像データに対して前記設定されたデータ単位分スキップした、記録媒体に記録された第３の映像データを出力させるステップと、前記出力された第１の映像データを受信し、デコード処理を行って第１の映像データに係る映像表示信号、前記第２の映像データに係る映像表示信号、前記第３の映像データに係る映像表示信号を出力するステップと、前記出力された前記第２の映像データに係る映像表示信号、前記第３の映像データに係る映像表示信号を保持するステップと、映像スキップ信号を受信するステップと、前記出力された第１の映像データに係る映像表示信号を第１の画面として出力し、前記保持された第２の映像データに係る映像表示信号を第２の画面として前記第１の画面と同時に出力するステップと、前記映像スキップ信号の受信に応じて前記出力された第２の映像データに係る映像表示信号を第１の画面として、前記保持された第３の映像データに係る映像表示信号を第２の画面として切り替えて第１の画面と同時に出力するステップを備えるように構成している。
【発明の効果】
【００１０】
上記した構成によれば、スキップ終了以降の映像を予測し、表示または再生することが可能となる。また、スキップ終了以降の映像を予測し、表示または再生することによって、所望の映像を少しでも早く見つける技術を提供し、ユーザの利便性を向上させることが可能となる。
【発明を実施するための最良の形態】
【００１１】
以下、図面を参照してこの発明の実施の形態を説明する。
この発明の実施の形態においては、映像再生において、所定単位のスキップを予測して再生を行う予測スキップが行われる。
予測スキップはスキップ再生に係り、所定単位のスキップを予測し、ユーザに対してスキップ後の映像を、スキップ操作する前から表示するものである。ここでは、チャプターリスト単位または設定時間単位で映像をスキップ（ジャンプ）する機能をスキップ動作とする。
【００１２】
図１はこの発明の実施の形態に係る映像再生装置の構成を示すブロック図である。
符号１は映像データ記録装置である。符号２は映像データ制御部、符号３はN個の映像・音声・サブピクチャのデコード回路群（N≧1）であり、デコーダ部に構成される。符号４はフレームメモリである。符号５はこの発明に係るスキップ動作を制御可能なビデオプロセッサである。符号６は映像・音声・サブピクチャ処理用ビデオミクサーである。符号７は映像・音声出力I/F、符号８は再生、停止、スキップ等が開部から入力されるキー入力部である。
【００１３】
ビデオプロセッサ５は映像データ記録装置１、映像データ制御部２、映像・音声・サブピクチャのデコード回路群３、フレームメモリ４、映像・音声・サブピクチャ処理用ビデオミクサー６に接続されている。ユーザがキー入力部８を操作し、映像再生装置に対して映像スキップを含む指示を行うと、この操作指示信号がキー入力部８から出力され、ビデオプロセッサ５で受信される。
【００１４】
ビデオプロセッサ５は、この操作指示信号に応じて、映像データ記録装置１、映像データ制御部２、映像・音声・サブピクチャのデコード回路群３、フレームメモリ４、映像・音声・サブピクチャ処理用ビデオミクサー６を制御する。そして、映像・音声・サブピクチャ処理用ビデオミクサー６は上記操作指示信号に応じた映像信号（再生信号）を出力する。
【００１５】
映像・音声・サブピクチャ処理用ビデオミクサー６から出力された映像信号（再生信号）は、映像・音声出力I/F７を介して表示部へ出力され、再生映像が表示される。
【００１６】
すなわち、映像記録装置１（光ディスクやハードディスク等）には映像コンテンツが記録され、キー入力部８でユーザが図示しない入力キーを用いて入力操作を行うと、映像再生／停止／スキップ動作など制御信号がビデオプロセッサ５に送信される。ビデオプロセッサ５はこれらの情報制御を行う。また、後述する主画面や副画面へ表示する表示信号の出力制御を行う。フレームメモリ４は上記表示信号の基となる映像データを一時的に保持する。ビデオミクサー６は上記映像データを用い、映像音声信号処理を行い、表示信号を、出力I/F８を介して、図示しないスピーカや表示機器へ出力する。
【００１７】
ここで、この発明の実施の形態に係る映像再生装置においては、Ｎ（Ｎ≧１）個のV,A,SPデコーダ回路からなるデコーダ回路群を備えている。ここでＮは少なくとも１つ以上であり、Ｎ＝１の場合は、主画面は動画が再生され、副画面は静止画が再生される。また、デコーダ部内のV,A,SPデコーダ回路群が２つ以上（Ｎ＞１）で構成される場合は、主画面と同時に副画面も動画が再生可能となる。
【００１８】
図２はこの発明の実施の形態に係る映像再生装置において、映像スキップの際の画面構成例を説明する図である。
図２（ａ）は、主画面上に１つ以上の副画面を重ねる構成の表示画面の一例である。主画面に副画面１および副画面２の２つの副画面が重ねて表示されている。主画面には、現在の再生映像が表示されている。
【００１９】
副画面１には、予め予測した１回目の予測スキップ映像が表示されている。ユーザがスキップ操作を１回行うとこの映像へスキップし、再生が行われる。副画面２には、２回目の予測スキップ動作時の映像が表示されている。ユーザがスキップ操作を２回行うとこの映像へスキップし、再生が行われる。同様に、副画面NにはN回目の予測スキップ動作時の映像が表示されている。ユーザがスキップ操作をＮ回行うとこの映像へスキップし、再生が行われる。
【００２０】
図２（ｂ）は、映像スキップを行った際の、副画面が主画面と重複しないように並べて表示する表示画面の一例である。主画面と副画面１、副画面２がの２つの副画面が重複しないように並べて表示表示されている。
【００２１】
副画面１には、予め予測した１回目の予測スキップ映像が表示されている。ユーザがスキップ操作を１回行うとこの映像へスキップし、再生が行われる。副画面２には、２回目の予測スキップ動作時の映像が表示されている。ユーザがスキップ操作を２回行うとこの映像へスキップし、再生が行われる。同様に、副画面NにはN回目の予測スキップ動作時の映像が表示されている。ユーザがスキップ操作をＮ回行うとこの映像へスキップし、再生が行われる。
【００２２】
尚、副画面で表示している映像へのスキップ操作は、スキップ回数だけスキップキー入力を行う構成が可能である。また、方向キーで副画面を選択する構成も可能である。
【００２３】
また、スキップ動作後の主画面映像は、副画面が非表示になるまで一時停止したままの状態、あるいは副画面の表示／非表示に関係なくスキップ後から連続的に再生するように設定することが可能である。副画面は、非表示機能が割り付けられたキーを入力するか、一定時刻後に自動的に閉じるように構成するも可能である。
【００２４】
また、副画面の大きさや形状、解像度、音声や色設定、表示位置、表示／非表示は特に説明しないが、任意に設定可能である。
図３はこの発明の実施の形態に係る映像再生装置において、映像／音声データの再生およびスキップ動作時間の関係を示す図である。
ここでは、ビデオプロセッサ５のスキップ制御部が予測スキップを次のように想定する。すなわち、本編を再生中にユーザがスキップキー８を操作し、３回スキップする。例えば、時間t0からt3まで映像スキップ再生を行う。ユーザが４回目のスキップキーを入力した場合、時間t4に到達して再び本編映像が再生されると判断し、スキップを終了する。これらの予測スキップは順次副画面に表示される。
【００２５】
また、スキップ逆方向（再生逆方向）についても、同様の構成が可能である。ビデオプロセッサ５のスキップ制御部が予測スキップを次のように想定する。すなわち、すなわち、本編を逆再生中にユーザがスキップキー８を操作し、３回逆方向にスキップする。ユーザが４回目の逆スキップキーを入力した場合、逆スキップを終了する。これらの予測スキップは同様に、順次副画面に表示される。
【００２６】
図４は、この発明の実施の形態に係る映像再生装置において、上記図２（ａ）に示すように、主画面上に１つの副画面を重ねる画面構成におけるスキップ動作のようすを説明する図である。
【００２７】
例えば、映像再生中に、時刻t0（図３に示すスキップ開始）において、ユーザが映像スキップキーを１回入力する。すると、予め設定されたデータ単位分（例えばキャプチャー単位分）スキップした時刻t1まで映像スキップする。そして映像再生装置は、主画面には時刻t0からスキップした時刻t1における再生映像を表示するように映像を出力する。また同時に、副画面には、時刻t1から予測スキップした時刻t2の再生映像を出力する。ユーザは、この副画面に表示された映像を確認することで、更にスキップ動作をするかしないを判断することができる。
【００２８】
例えばユーザが、映像スキップキーを２回入力して時刻t3までスキップすると、同様に、副画面には時刻t2から２回分予測スキップした時刻t4の再生映像が表示される。主画面に所望の再生映像が表示されれば、ユーザはスキップキーの入力を停止する。このように構成することによって、所望の映像を早く見つけることが可能となる。
【００２９】
このとき、副画面の表示はユーザが非表示キーを入力するように構成しても良いし、一定時間経過後に自動的に非表示になるように構成しても良い。
図５は、この発明の実施の形態に係る映像再生装置において、上記図２（ｂ）に示すように、副画面が主画面と重複しないように３つの画面を並べて表示する画面構成におけるスキップ動作のようすを説明する図である。
【００３０】
例えば、映像再生中に、時刻t0（図３に示すスキップ開始）において、ユーザが映像スキップキーを１回入力する。すると、予め設定されたデータ単位分（例えばキャプチャー単位分）スキップした時刻t1まで映像スキップする。そして映像再生装置は、主画面には時刻t0からスキップした時刻t1における再生映像を表示するように映像を出力する。また同時に、３つの副画面には、時刻t1から１回分予測スキップした時刻t2、２回分予測スキップした時刻t3、３回分予測スキップした時刻t4の予測スキップ映像が表示される。
【００３１】
ユーザは３つの副画面に表示された映像を見て、上記と同様に、更にスキップするかしないかを判断する。
ここでは、ユーザは、３つ目（映像３）の副画面には時間t4の本編映像が表示されるので、映像３で表示してされている時刻t3の再生映像にスキップする。ここでの操作方法は、スキップキーを２回入力する方法や、方向キーで時間t3を表示している副画面を選択する方法が可能である。
【００３２】
このとき、副画面の表示は、上記と同様に、ユーザが非表示キーを入力するように構成しても良いし、一定時間経過後に自動的に非表示になるように構成しても良い。
【００３３】
図６はこの発明の実施の形態に係る映像再生装置に係り、デコード部を１つのデコーダで構成した場合の動作のようすを説明するフローチャートである。
例えば主画面で映像を再生中に、ユーザがスキップキー８を操作し、スキップ１回分の入力を行う。すると、この発明の実施の形態においては、予測スキップ１回分に加え、予測スキップ２回分の時刻t2までジャンプして映像デコード処理し、両者の再生映像をフレームメモリ４に格納する。
【００３４】
デコーダ部における上記デコード処理が終了すると、時刻t1までジャンプし、映像デコード処理を行い、主画面で映像を表示すると同時に、副画面にはフレームメモリに格納したフレームデータを静止画表示する。
【００３５】
ここでは、予測スキップに係る再生映像は静止画であるが、デコーダの処理能力が高ければ動画でも良い。また、ここでのループ回数Nは副画面数とする。N≧２以上である場合は前記動作を繰り返し実行する。
【００３６】
図２ (a)に示すように副画面が重なる画面構成において、主画面の一部が隠れても良いという場合は、一時停止させずに主画面の再生を継続するように構成しても良い。あるいは、副画面が非表示になるまで主画面映像は一時停止させるように設定することも可能である。
【００３７】
また、その後、映像スキップを行わない場合は、ユーザが副画面非表示にするキー入力を行うか、一定時間経過後に、自動的に非表示にさせることも可能である。
符号Ｓ１００はここでの開始ステップである。続いて符号Ｓ１０１を付したステップへ進む。
符号Ｓ１０１は主画面で映像を再生するステップである。続いて符号Ｓ１０２を付したステップへ進む。
符号Ｓ１０2は例えばスキップキー８が操作され、ビデオプロセッサ５によって映像スキップが指示されたか否かを判断するステップである。映像スキップが指示されたと判断されない場合は符号Ｓ１０３を付したステップへ進む（Ｎｏ）。映像スキップが指示されたと判断された場合は符号Ｓ１０５を付したステップへ進む（Ｙｅｓ）。
【００３８】
符号Ｓ１０3は上記のように副画面を閉じるステップである。続いて符号Ｓ１０４を付したステップへ進む。
符号Ｓ１０５は上記ループを実行するステップである。回数Nは副画面の数と一致する。N≧２以上である場合は上記動作を繰り返し実行する。続いて符号Ｓ１０６を付したステップへ進む。
【００３９】
符号Ｓ１０６は予測スキップに備え、デコーダ部のＶ，Ａ，ＳＰデコーダ群３が時刻tn+1の処理を実行するステップである。続いて符号Ｓ１０８を付したステップへ進む。
【００４０】
符号Ｓ１０８は主画面に所望の再生映像が表示され、ユーザがスキップキーの入力を停止するステップである。このとき、主画面に出力する映像の処理は符号Ｓ１０９を付したステップへ進む。副画面に出力する映像の処理は符号Ｓ１１１を付したステップへ進む。
【００４１】
符号Ｓ１０９はＶ，Ａ，ＳＰデコーダ群３が時刻t1の処理を実行し、主画面に表示する映像を出力するステップである。続いて符号Ｓ１１０を付したステップへ進む。
【００４２】
符号Ｓ１１０はＶ，Ａ，ＳＰデコーダ群３から出力された主画面に表示する時刻t1の映像を出力表示するステップである。続いて符号Ｓ１０２を付したステップへ進み、上記処理を繰り返す。
【００４３】
符号Ｓ１１１乃至Ｓ１１３は副画面に出力する映像を出力するステップである。
符号Ｓ１１１は副画面に出力する映像の処理ループを実行するステップである。続いて符号Ｓ１１２を付したステップへ進む。
符号Ｓ１１２は副画面nに表示するためのフレームメモリ４に格納されたフレームデータn+1を出力するステップである。続いて符号Ｓ１１３を付したステップへ進む。
【００４４】
符号Ｓ１１３は出力された主画面に表示する時刻t1の映像を出力表示するステップである。続いて符号Ｓ１０２を付したステップへ進み、上記処理を繰り返す。
符号Ｓ１０４は映像再生を停止するか否かをビデオプロセッサ８が判断するステップである。映像再生を停止すると判断しない場合は符号Ｓ１０１を付したステップへ進み、上記処理を繰り返す（Ｎｏ）。映像再生を停止すると判断する場合は符号Ｓ１１４を付したステップへ進む（Ｙｅｓ）。
【００４５】
符号Ｓ１１４は、終了ステップであり、ここでの処理は終了する。
図７はこの発明の実施の形態に係る映像再生装置に係り、デコード部を２つ以上のデコーダで構成した場合の動作のようすを説明するフローチャートである。
主画面で映像を再生中に、ユーザがスキップキー８を用いて１回分のスキップ入力を行うと、V,A,SPデコーダ群３は時刻t0から時刻t1までジャンプして映像のデコード処理を行う。そして、主画面で映像再生を行う。それと同時にスキップ２回分の時刻t2までジャンプして映像のデコード処理を行い、副画面で映像再生を行う（予測スキップ）。デコーダ回路がＮ個ある場合はＮ回、同様の処理を行う。ここでも、映像スキップを行わない場合は、副画面非表示キーの入力か、一定時間後に自動的に非表示になるように構成することが可能である。
【００４６】
符号Ｓ２００はここでの開始ステップである。続いて符号Ｓ２０１を付したステップへ進む。
符号Ｓ２０１は主画面で映像を再生するステップである。続いて符号Ｓ２０２を付したステップへ進む。
符号Ｓ２０2は例えばスキップキー８が操作され、ビデオプロセッサ５によって映像スキップが指示されたか否かを判断するステップである。映像スキップが指示されたと判断されない場合は符号Ｓ２０３を付したステップへ進む（Ｎｏ）。映像スキップが指示されたと判断された場合は符号Ｓ２０５を付したステップへ進む（Ｙｅｓ）。
【００４７】
符号Ｓ２０3は上記のように副画面を閉じるステップである。続いて符号Ｓ２０４を付したステップへ進む。
符号Ｓ２０５はＶ，Ａ，ＳＰデコーダ群３が時刻t1の処理を実行し、主画面に表示する映像を出力するステップである。続いて符号Ｓ２０６を付したステップへ進む。
【００４８】
符号Ｓ２０６はＶ，Ａ，ＳＰデコーダ群３から出力された主画面に表示する時刻t1の映像を出力表示するステップである。続いて符号Ｓ２０２を付したステップへ進み、上記処理を繰り返す。
【００４９】
符号Ｓ２０５はＶ，Ａ，ＳＰデコーダ群３が時刻tn+1の処理を実行し、副画面に表示する映像を出力するステップである。続いて符号Ｓ２０８を付したステップへ進む。
【００５０】
符号Ｓ２０８はＶ，Ａ，ＳＰデコーダ群３から出力された副画面に表示する時刻tn+1の映像を出力表示するステップである。続いて符号Ｓ２０２を付したステップへ進み、上記処理を繰り返す。
【００５１】
符号Ｓ２０４は映像再生を停止するか否かをビデオプロセッサ８が判断するステップである。映像再生を停止すると判断しない場合は符号Ｓ２０１を付したステップへ進み、上記処理を繰り返す（Ｎｏ）。映像再生を停止すると判断する場合は符号Ｓ２０８を付したステップへ進む（Ｙｅｓ）。
【００５２】
符号Ｓ２０８は、終了ステップであり、ここでの処理は終了する。
すなわちこの発明の実施の形態に係る映像再生装置においては、記録媒体に記録された第１の映像データを出力させる第１の映像データ出力手段（２）と、前記第１の映像データに対して予め設定されたデータ単位分スキップした、記録媒体に記録された第２の映像データ、および前記第２の映像データに対して前記設定されたデータ単位分スキップした、記録媒体に記録された第３の映像データを出力させるスキップデータ出力手段（２）と、前記出力された第１の映像データを受信し、デコード処理を行って第１の映像データに係る映像表示信号、前記第２の映像データに係る映像表示信号、前記第３の映像データに係る映像表示信号を出力するデコード手段（３）と、前記出力された前記第２の映像データに係る映像表示信号、前記第３の映像データに係る映像表示信号を保持する映像表示信号保持手段（４）と、映像スキップ信号を受信するスキップ信号受信手段（８）と、前記出力された第１の映像データに係る映像表示信号を第１の画面として出力し、前記保持された第２の映像データに係る映像表示信号を第２の画面として前記第１の画面と同時に出力する映像出力手段（６）を備え、前記映像スキップ信号の受信に応じて前記出力された第２の映像データに係る映像表示信号を第１の画面として、前記保持された第３の映像データに係る映像表示信号を第２の画面として切り替えて第１の画面と同時に出力する切り替え手段（６）を備えている。
【００５３】
上記のように構成することによって、この発明の実施の形態においては、スキップ終了以降の映像を予測し、表示または再生することが可能となるという効果がある。また、スキップ終了以降の映像を予測し、表示または再生することによって、所望の映像を少しでも早く見つける技術を提供し、ユーザの利便性を向上させることが可能となるという効果がある。
【００５４】
なお、この発明は上記した実施の形態そのままに限定されるものではなく、実施段階ではその趣旨を逸脱しない範囲で構成要素を種々変形して具体化することが可能である。
【図面の簡単な説明】
【００５５】
【図１】この発明の実施の形態に係る映像再生装置の構成を示すブロック図。
【図２】この発明の実施の形態に係る映像再生装置において、映像スキップの際の画面構成例を説明する図。
【図３】この発明の実施の形態に係る映像再生装置において、映像／音声データの再生およびスキップ動作時間の関係を示す図。
【図４】この発明の実施の形態に係る映像再生装置において、上記図２（ａ）に示すように、主画面上に１つの副画面を重ねる画面構成におけるスキップ動作のようすを説明する図。
【図５】この発明の実施の形態に係る映像再生装置において、上記図２（ｂ）に示すように、副画面が主画面と重複しないように３つの画面を並べて表示する画面構成におけるスキップ動作のようすを説明する図。
【図６】この発明の実施の形態に係る映像再生装置に係り、デコード部を１つのデコーダで構成した場合の動作のようすを説明するフローチャート。
【図７】この発明の実施の形態に係る映像再生装置に係り、デコード部を２つ以上のデコーダで構成した場合の動作のようすを説明するフローチャート。
【符号の説明】
【００５６】
１…光ディスクやHDDなどの映像データ記録装置、２…映像データ制御部、３…N個の映像・音声・サブピクチャのデコード回路群（N≧1）、４…フレームメモリ、５…スキップ動作が制御可能なビデオプロセッサ、６…映像・音声・サブピクチャ処理用ビデオミクサー、７…映像・音声出力I/F、８…再生、停止、スキップなどのキー入力部。
【図１】
2008300999.tif 000003
【図２】
2008300999.tif 000004
【図３】
2008300999.tif 000005
【図４】
2008300999.tif 000006
【図５】
2008300999.tif 000007
【図６】
2008300999.tif 000008
【図７】
2008300999.tif 000009